(57)【要約】【課題】従来のイヤホン付き携帯電話装置は、イヤホンのコードが煩わしく、イヤホンを使わないときに携帯電話装置本体と別に持ち歩くと、コードがからまりやすく、使う時にコードのからまりをほぐして取り付けるという煩わしさがあった。【解決手段】イヤホン端子付き携帯電話装置に短距離無線通信用の親機を設け、ストラップを用いてイヤホン端子付き携帯電話装置に短距離無線通信用の子機を着脱可能に保持する保持装置を設け、イヤホン端子付き携帯電話装置に親機と子機を一体にして携行できるようにした。また、保持装置に保持状態検出手段を設け、子機が保持装置から離れた状態において、携帯電話装置で出力する信号を親機から子機に送信するよう構成した。更に、保持装置に子機の充電電池の充電制御手段を設け、携帯電話装置側の電源を用いて子機の充電電池を充電するようにした。【選択図】図１
2006050058.tif 000002
【特許請求の範囲】
【請求項１】
イヤホン端子付き携帯電話装置に短距離無線通信用の親機を設け、
前記イヤホン端子付き携帯電話装置にストラップを用いて短距離無線通信用の子機を着脱可能に保持する保持装置を設け、
前記保持装置に前記子機を保持することにより、
前記イヤホン端子付き携帯電話装置に前記親機と前記子機を一体にして携行できるようにするとともに、
前記保持装置に子機の保持状態を検出する保持状態検出手段を設け、
前記子機が前記保持装置から離れた状態において、前記携帯電話装置で出力する信号を前記親機から前記子機に送信するよう構成したことを特徴とするコードレスイヤホン付き携帯電話装置。
【請求項２】
イヤホン端子付き携帯電話装置に短距離無線通信用の親機を設け、
前記イヤホン端子付き携帯電話装置にストラップを用いて短距離無線通信用の子機を着脱可能に保持する保持装置を設け、
前記保持装置に前記子機を保持することにより、
前記イヤホン端子付き携帯電話装置に前記親機と前記子機を一体にして携行できるようにするとともに、
前記子機に充電電池を設け、
前記保持装置に前記子機の充電電池を充電するための充電制御手段を設け、
前記保持装置を前記イヤホン端子付き携帯電話装置のイヤホン端子に接続し、
前記保持装置の充電制御手段により、前記イヤホン端子付き携帯電話装置からイヤホン端子を介して電力を供給して子機の充電電池を充電するよう構成したことを特徴とするコードレスイヤホン付き携帯電話装置。
【請求項３】
前記短距離無線通信用の親機を前記イヤホン端子付き携帯電話装置の内部に設けたことを特徴とする請求項１または請求項２に記載のコードレスイヤホン付き携帯電話装置。
【請求項４】
前記短距離無線通信用の親機を前記イヤホン端子付き携帯電話装置の外部に着脱可能に設けたことを特徴とする請求項１または請求項２に記載のコードレスイヤホン付き携帯電話装置。
【請求項５】
前記短距離無線通信用の親機を前記子機の保持装置に設けたことを特徴とする請求項１、請求項２または請求項４のいずれかに記載のコードレスイヤホン付き携帯電話装置。
【請求項６】
前記保持装置に、前記保持装置と携帯電話装置のイヤホン端子の間を結ぶ接続コードの一部を前記保持装置の筐体内に引き入れる接続コードのたるみ吸収手段を設け、
前記接続コードのたるみ吸収手段により、前記保持装置とイヤホン端子の間に生じる接続コードのたるみを吸収するよう構成したことを特徴とする請求項１から請求項５のいずれかに記載のコードレスイヤホン付き携帯電話装置。
【請求項７】
前記子機の筐体にくびれ部分を設け、前記保持装置に前記子機の筐体のくびれ部分を保持する保持手段を設け、前記子機を前記保持手段に着脱自在に構成したことを特徴とする請求項１から請求項５のいずれかに記載のコードレスイヤホン付き携帯電話装置。
【請求項８】
前記子機のくびれ部分を耳にかけることができる大きさに形成したことを特徴とする請求項７に記載のコードレスイヤホン付き携帯電話装置。
【請求項９】
前記保持装置に子機の保持状態を検出する保持状態検出手段を設け、
着信時において、前記保持状態検出手段が、前記保持装置に保持していた子機が前記保持装置から取り出されたことを検出すると、通信を開始するように構成したことを特徴とする請求項１から請求項５のいずれかに記載のコードレスイヤホン付き携帯電話装置。
【請求項１０】
前記保持装置に子機の保持状態を検出する保持状態検出手段を設け、
通信時において、前記保持状態検出手段が、前記保持装置に保持していなかった子機が前記保持装置に保持されたことを検出すると、通信を終了するよう構成したことを特徴とする請求項１から請求項５のいずれかに記載のコードレスイヤホン付き携帯電話装置。
【請求項１１】
前記保持装置に子機の保持状態を検出する保持状態検出手段を設け、
着信待ち受け状態において、前記保持状態検出手段が、前記保持装置に保持していた子機が取り外されたことを検出すると、報知音を発するよう構成したことを特徴とする請求項１から請求項５のいずれかに記載のコードレスイヤホン付き携帯電話装置。
【請求項１２】
前記保持装置に子機の保持状態を検出する保持状態検出手段を設け、
前記子機にスイッチ手段を設け、
着信待ち受け状態において、前記保持状態検出手段が、前記保持装置に保持していた子機が取り外されたことを検出すると報知音を発するよう構成するとともに、前記報知音が発せられているときに、前記子機のスイッチ手段が操作されると前記報知音を停止し、前記子機が前記保持手段から外れた状態で着信待ち受け状態となるよう制御するよう構成したことを特徴とする請求項１１に記載のコードレスイヤホン付き携帯電話装置。
【請求項１３】
短距離無線通信用の親機と、
短距離無線通信用の子機と、
ストラップ取り付け手段を設けた前記子機の保持装置とからなり、
前記保持装置に前記子機を保持した状態で、前記親機と前記子機を携帯電話装置と一体に携行できるようにするとともに、
前記保持装置に子機の保持状態を検出する保持状態検出手段を設け、
前記子機が前記保持装置から外れた状態において、前記親機と前記子機間で短距離無線通信を行うよう構成したことを特徴とするコードレスイヤホン。
【請求項１４】
前記短距離無線通信用の親機を前記子機の保持装置に設けたことを特徴とする請求項１３に記載のコードレスイヤホン。
【請求項１５】
短距離無線通信用の親機と、
短距離無線通信用の子機と、
ストラップ取り付け手段を設けた前記子機の保持装置とからなり、
前記保持装置に前記子機を保持した状態で、前記親機と前記子機を携帯電話装置と一体に携行できるようにするとともに、
前記短距離無線通信用の子機に充電電池を設け、
前記保持装置を前記イヤホン端子付き携帯電話装置のイヤホン端子に接続し、
前記保持装置の充電制御手段により、前記イヤホン端子付き携帯電話装置からイヤホン端子を介して電力を供給して子機の充電電池を充電するよう構成したことを特徴とするコードレスイヤホン。
【請求項１６】
ストラップを保持装置に取り付ける手段として、ストラップの一端にネジ部を設け、ネジにより保持装置に固定するよう構成したことを特徴とする請求項１から請求項１２のいずれかに記載のコードレスイヤホン付き携帯電話装置。
【請求項１７】
ストラップを保持装置に取り付ける手段として、ストラップの一端にネジ部を設け、ネジ
により保持装置に固定するよう構成したことを特徴とする請求項１３から請求項１５のいずれかに記載のコードレスイヤホン。
【発明の詳細な説明】
【技術分野】
【０００１】
本発明は、短距離無線通信を利用したコードレスイヤホン及びコードレスイヤホン付き携帯電話装置に関する。
【背景技術】
【０００２】
従来から、携帯電話装置にはイヤホン端子が付いており、携帯電話装置のイヤホン端子に有線式のイヤホンを装着して携帯電話装置の音声が聞けるように、あるいは有線式のイヤホンマイクを装着して音声通話ができるように構成されている。
【０００３】
しかし、有線式のイヤホンおよびイヤホンマイクは使用の際にコードが煩わしく感じられ、またイヤホンを使わないときには携帯電話装置から取り外して持ち歩くためイヤホンのコードがからまりやすく、いざ取り出して使おうとしたときには、コードのからまりをほぐしてから携帯電話装置に取り付けなければならないという煩わしさがあった。
【０００４】
そこで最近、赤外線通信やＦＭ通信、あるいはブルートゥース（登録商標）等の短距離無線通信を利用してイヤホンのコード部分を無くした、いわゆるコードレスイヤホン付き携帯電話装置が提案され、一部が実用化されている（例えば、特許文献１または特許文献２参照）。これらコードレスイヤホン付き携帯電話装置では、イヤホンのコードが無いため、コードが邪魔にならず、収納時にコードがからまらず、コードレスイヤホンを携帯電話装置のイヤホン端子にいちいち接続したり外したりせず、直ぐに使えるという利点がある。
【０００５】
しかし、上記のコードレスイヤホンであっても、使わないときは携帯電話装置と別にして持ち運ぶため、コードレスイヤホンを携行するのを忘れたり、落としたり、無くしたりしてしまうという問題があった。またコードレスイヤホンは、携帯電話装置とは別の専用電池を必要とするため、コードレスイヤホンを使わないときに専用電池が消耗しないようにスイッチを切ったり、消耗した専用電池を新しいものと交換したり、専用電池を携帯電話装置とは別に充電したりしなければならないという問題を生じていた。
【特許文献１】特開平１１−４１１３３号公報（第３頁、図１）
【特許文献２】実用新案登録第３０６７３１７号公報（第２頁、図１から図４）
【発明の開示】
【発明が解決しようとする課題】
【０００６】
本発明は、上記従来のコードレスイヤホン付き携帯電話装置の持つ問題点を解決することを目的とし、特に、コードレスイヤホンを携帯電話装置と一体にして持ち歩くことができ、コードレスイヤホンの充電電池が携帯電話装置本体から充電されていて個別に充電する必要がなく、着信時にコードレスイヤホンを耳につければ通信が始まり、通信中にコードレスイヤホンを耳から外して携帯電話装置に一体にすれば通信が終了するように、使いたいときに直ぐ使え、万一、着信待ち受け時にコードレスイヤホンを誤って落としたとしても、報知音が鳴って落としたことを知らせるという使い勝手のよいコードレスイヤホン及びコードレスイヤホン付き携帯電話装置を提供することを目的としている。
【課題を解決するための手段】
【０００７】
上記従来の課題を解決するために、本発明のコードレスイヤホン付き携帯電話装置では、イヤホン端子付き携帯電話装置に短距離無線通信用の親機を設け、ストラップを用いてイヤホン端子付き携帯電話装置に短距離無線通信用の子機を着脱可能に保持する保持装置を設け、保持装置に子機を保持することにより、イヤホン端子付き携帯電話装置に親機と
子機を一体にして携行できるようにするとともに、保持装置に子機の保持状態を検出する保持状態検出手段を設け、子機が保持装置から離れた状態において携帯電話装置で出力する信号を親機から子機に送信するよう構成している。
【０００８】
この構成により、イヤホン端子付き携帯電話装置にストラップを用いて子機を親機ともども一体に携行することができることはもちろん、子機を保持装置から取り出すことによりコードレスイヤホンによる通信を行うことができる。
【０００９】
そして本発明は、子機に充電電池を設けるとともに、保持装置に子機の充電電池を充電するための充電制御手段を備え、保持装置をイヤホン端子付き携帯電話装置のイヤホン端子に接続し、保持装置の充電制御手段により、携帯電話装置からイヤホン端子を介して電力を供給して子機の充電電池を充電するよう構成している。この構成により、子機の充電電池を充電するための充電制御手段を持たない携帯電話装置から子機の充電電池を充電することができる。
【００１０】
なお、イヤホン端子付き携帯電話装置に短距離無線通信用の親機を設けるに際して、親機はイヤホン端子付き携帯電話装置の内部、外部、あるいは子機の保持装置のいずれかに設けるようにしている。すなわち、親機をイヤホン端子付き携帯電話装置の内部に設けたときは、親機をイヤホン端子付き携帯電話装置に外付けする必要がない。親機をイヤホン端子付き携帯電話装置の外部に着脱可能に接続して設けたときは、親機を後からイヤホン端子付き携帯電話装置に追加接続して使用することができる。また、親機を子機の保持装置に設けたときは、親機と子機をワンセットとしてイヤホン端子付き携帯電話装置とともに携行することができる。
【００１１】
そして本発明は、保持装置に、保持装置と携帯電話装置のイヤホン端子の間を結ぶ接続コードの一部を保持装置の筐体内に引き入れる接続コードのたるみ吸収手段を設けている。接続コードのたるみ吸収手段は、保持装置とイヤホン端子の間に生じる接続コードのたるみを吸収するので、保持装置とイヤホン端子の間の接続コードがたるみのない姿で使用することができる。そして、ストラップの長さを保持装置とイヤホン端子の間を結ぶ接続コードの長さより短くすることにより、接続コードより長さの短いストラップが携帯電話装置の自重を支え、携帯電話装置の自重による張力が接続コードに作用しないようにしている。
【００１２】
また、本発明は、子機の筐体にくびれ部分を設け、保持装置に子機の筐体のくびれ部分を保持する保持手段を設け、子機を保持装置の保持手段に着脱自在に構成している。また、子機のくびれ部分を耳にかけることができる大きさにしている。この構成により、子機を保持装置に簡単に着脱することができることはもちろん、耳にかけやすいコードレスイヤホンが得られる。
【００１３】
また、本発明は、保持装置に子機の保持状態を検出する保持状態検出手段を設け、着信時において、保持装置の保持状態検出手段が、保持装置に保持していた子機が取り出されたことを検出すると、通信を開始するよう構成している。この構成により、保持装置から子機を取り出すだけで、携帯電話装置の音声通話等の通信を開始することができる。
【００１４】
また、本発明は、保持装置に子機の保持状態を検出する保持状態検出手段を設け、通信時において、保持装置に保持していなかった子機が保持されたことを検出すると、通信を終了するよう構成している。この構成により、保持装置に子機を戻すだけで、通信を終了することができる。
【００１５】
また、本発明は、保持装置に子機の保持状態を検出する保持状態検出手段を設け、着信
待ち受け状態において、保持装置に保持していた子機が取り外されたことを検出すると、報知音を発するよう構成している。この構成により、着信時、通話時以外の着信待ち受け状態で、保持装置に保持されていた子機が保持装置から外れたことを携帯電話装置の使用者に知らせることが可能となる。
【００１６】
本発明は、短距離無線通信用の親機と、短距離無線通信用の子機と、ストラップ取り付け手段を設けた子機の保持装置とからなり、保持装置に子機を保持した状態で、親機と子機を携帯電話装置と一体に携行できるようにするとともに、保持装置に子機の保持状態を検出する保持状態検出手段を設け、子機が保持装置から外れた状態において、親機と子機間で短距離無線通信を行うようコードレスイヤホンを構成している。
【００１７】
この構成により、子機を保持装置に保持した状態で携帯電話装置とともに携行することができる。また、イヤホン端子付き携帯電話装置にストラップで取り付けた保持装置から、随時、子機を取り出して耳に付けることによりコードレスイヤホンとして使用することができる。
【発明の効果】
【００１８】
本発明のコードレスイヤホン付き携帯電話装置では、短距離無線通信用の親機を設けたイヤホン端子付き携帯電話装置に、ストラップを用いて設けた子機を保持する保持装置により、子機を親機ともどもイヤホン端子付き携帯電話装置と一体に携行することができる。
【００１９】
また、子機の充電電池を充電するための充電制御手段を持たない携帯電話装置から子機の充電電池を充電することができる。
【００２０】
なお、イヤホン端子付き携帯電話装置に短距離無線通信用の親機を設けるに際して、親機をイヤホン端子付き携帯電話装置の内部、外部、あるいは子機の保持装置のいずれかに設けるようにしているため、親機をイヤホン端子付き携帯電話装置の内部に設けたときは、親機をイヤホン端子付き携帯電話装置に外付けする必要がない。親機をイヤホン端子付き携帯電話装置の外部に着脱可能に接続して設けたときは、親機の付いていない携帯電話装置に親機を追加接続して使用することができる。また、親機を子機の保持装置に設けたときは、親機と子機をワンセットとして携帯電話装置とともに携行することができるという効果が得られる。
【００２１】
そして、着信時に、コードレスイヤホンの子機を保持装置から取り出して耳につければ通信が始まり、通信中に保持装置から外れていた子機を保持装置と一体にすれば通信が終了する。そして、着信待ち受け時にコードレスイヤホンの子機が保持装置から外れたとしても、外れたことを知らせる報知音が鳴るという使い勝手のよいコードレスイヤホン付き携帯電話装置が得られる。また、報知音を止め、保持装置から子機が外れた状態で着信待ち受け状態にすることもできる。
【発明を実施するための最良の形態】
【００２２】
以下、本発明を実施するための最良の形態について、図面を参照しながら説明する。
【００２３】
（実施の形態１）
図１に本発明のコードレスイヤホン付き携帯電話装置の外観を示す。図１は、携帯電話装置１の充電電池１０の付いている裏面側を上にして机の上に置いた状態を示している。携帯電話装置１には、筐体にストラップ取り付け穴２を設け、側面にイヤホン接続端子３を設けている。そして、携帯電話装置１のストラップ取り付け穴２には、保持装置４から出ている取り付け用ストラップ５を通して機械的に連結している。そして、同じく保持装
置４から出ている接続コード６の先端にあるイヤホン接続プラグ７を携帯電話装置１のイヤホン接続端子３に嵌めて電気的に接続している。なお、図１では、保持装置４に短距離無線通信用の子機９を一体的に保持した状態を示したが、保持装置４には子機９を着脱自在に保持する保持手段を設けているので、子機９だけを保持装置４の保持手段から取り出して携帯電話装置１の使用者の耳に装着できるようにしている。なお図１には図示していないが、保持装置４の中に短距離無線通信用の親機を組み込んでいる。
【００２４】
図２に本発明のコードレスイヤホンの保持装置４と子機９の外観図を示す。図２（ａ）に、保持装置４に子機９を一体的に保持したときの外観図を、図２（ｂ）に保持装置４から子機９をＡ矢印方向に外したときの外観図をそれぞれ示している。図２（ｂ）に示すように、保持装置４の筐体はほぼＵ字状の形をしている。Ｕ字状の筐体の下側面には、保持装置４を携帯電話装置１に機械的に取り付けるための取り付け用ストラップ５をネジ又は圧入その他の固定方法により固定している。Ｕ字状の筐体の上側面には、人が手で持ち運ぶための携行用ストラップ８をネジ又は圧入その他の固定方法により固定している。特に、取り付け用ストラップ５や携行用ストラップ８のそれぞれの先端にネジ部を設け、ネジにより保持装置４に着脱自在に固定すると使い勝手が良い。すなわち、取り付け用ストラップ５を保持装置４から外して、取り付け用ストラップ５だけを先に携帯電話装置１に取り付け、その後、取り付け用ストラップ５のネジ部に保持装置４を簡単に固定することができる。また、携行用ストラップ８についても、必要によりまた気分により他の携行用ストラップ８を簡単に付け替えることができる。また、保持装置４のＵ字状の筐体の左側面の穴４５から、先端にイヤホン接続プラグ７を付けた接続コード６を出している。保持装置４の筐体のＵ字状の部分の内面には、一対の充電端子４２ａ、４２ｂを弾性的に出し入れ自在に、かつ、突出するように設けている。
【００２５】
図３に本発明の第一の実施の形態に係るコードレスイヤホンの保持装置４の一部を断面にした外観図を示す。保持装置４の筐体には、接続コード６を筐体内に引き込むための空間４０を設けている。接続コード６は空間４０の中の筐体に一端が固定され、図３に示すように上方に向かった後下方に折れ曲がって、他端を筐体の穴４５から外に出すように構成している。そして、空間４０の中の接続コード６の屈曲部の内側に円筒状のスポンジなどからなる弾性手段４１を当てている。弾性手段４１は接続コード６を押し広げ、接続コード６に筐体内に引き込む力を与えている。本発明の第一の実施の形態では、このように保持装置４の筐体内の空間４０と、接続コード６の屈曲部と、弾性手段４１の組合せにより接続コードのたるみ吸収手段を形成している。接続コード６に張力がかかっていないときには、空間４０の中の弾性手段４１の力で接続コード６の屈曲部が空間４０で押し広がり、接続コード６は保持装置４の筐体内に引き込まれ、接続コードに生じるたるみが吸収される。
【００２６】
ちなみに、既に示した図１では取り付け用ストラップ５はたるんでいるのに、接続コード６はピンと引っ張られた姿をしている。なお図１の状態で、携行用ストラップ８を携帯電話装置１の使用者が手で持てば、携帯電話装置１の自重により、接続コード６と取り付け用ストラップ５が引っ張られる。接続コード６は、前記接続コードのたるみ吸収手段によって吸収されていたたるみ部分が引っ張られ、接続コード６の長さが延びることになるが、接続コード６より長さの短い取り付け用ストラップ５が先に延びきり、接続コード６がたるみ部分を残した状態で、携帯電話装置１が、携行用ストラップ８と取り付け用ストラップ５により吊り下げられることになる。
【００２７】
なお、ここでは弾性手段４１として、一定の厚みを持つ円筒状をしたスポンジのかたまりを用いた例を示したが、弾性手段４１としては、コイル状に形成した弾性手段を用いてもよいし、伸縮する棒状に形成した弾性手段を用いてもよい。
【００２８】
図４に本発明の第一の実施の形態に係るコードレスイヤホンの子機９の外観図を示す。図４（ａ）はコードレスイヤホンの子機９の正面図を、図４（ｂ）はコードレスイヤホンの子機９の右側面図を、図４（ｃ）はコードレスイヤホンの子機９の平面図を示す。子機９の筐体は、ほぼ円筒状をしていて、アンテナを内蔵したほぼ直方体の部分９６が円筒部分から突出した形状をしている。なお、円筒部分の中央に円筒の直径を小さくした、くびれ部分９ａを形成して、くびれ部分９ａが既に図２と図３で示した保持装置４の筐体のＵ字状の部分に嵌り込むようにしている。
【００２９】
子機９のくびれ部分９ａが、保持装置４の筐体のＵ字状の部分に嵌り込むと、保持装置４の筐体のＵ字状の部分に弾性的に出し入れ自在に突出している充電端子４２ａ、４２ｂが子機９を保持する。すなわち、保持装置４の筐体のＵ字状の部分と一対の充電端子４２ａ、４２ｂが子機９の保持手段を形成している。そのため、既に図２（ｂ）で示したＡ矢印の方向に、子機９を保持装置４の充電端子４２ａ、４２ｂの力に抗して押し込み、あるいは引き抜くことにより、保持装置４の筐体のＵ字状の部分に着脱することができる。
【００３０】
子機９のくびれ部分９ａには、子機９の充電電池を充電するための充電端子９２ａ、９２ｂを設けていて、子機９を保持装置４のＵ字状の部分で保持したときに、子機９の充電端子９２ａ、９２ｂが保持装置４の充電端子４２ａ、４２ｂと接触し、充電電流が流れるようにしている。なお図４で、９７ａはマイクロフォン用の音孔、９８ａはスピーカー用の音孔であり、９９はスイッチ手段である。
【００３１】
図５に、本発明のコードレスイヤホン付き携帯電話装置のブロック図を示す。図５は携帯電話装置１と保持装置４と子機９のそれぞれの構成と対応関係が理解しやすいように、それぞれを隣接した状態に離して示している。左から、図５（ａ）に携帯電話装置１のブロック図を、図５（ｂ）に保持装置４のブロック図を、図５（ｃ）に子機９のブロック図をそれぞれ示している。ここで、図５（ｂ）には、保持装置４の中に短距離無線通信用の親機を組み込んだ構成を示している。なお、図５では説明を簡単にするため、主として、充電制御に関する回路ブロックと、音声制御に関する回路ブロックと、保持装置４の中に設けた短距離無線通信用の親機と子機９間の短距離無線通信の回路ブロックを示し、その他、電話通信のための無線通信手段やテンキー操作等の各種電話操作に関する回路ブロックについては記載および説明を省略している。
【００３２】
まず、図５（ａ）の携帯電話装置１のブロックを説明する。図５（ａ）では、携帯電話装置1の左側に充電端子１１ａと１１ｂを設けている。充電端子１１ａには、携帯電話装置１の充電電池１０を充電するための充電回路１２を接続し、充電回路１２に充電電池１０を接続している。また、充電回路１２からレギュレータ１３を経てイヤホン接続端子３に電源を供給するように構成している。また、携帯電話装置１には、携帯電話装置の制御部１４を設け、イヤホン接続端子３に向けて音声信号を送出し、あるいは受信するように制御している。また、制御部１４は、イヤホン接続端子３にイヤホン接続プラグ７が接続されているか否かのイヤホン接続プラグ７の有無検出信号を受け取るようにしている。また、コードレスイヤホンを制御するための制御信号も下りシリアル信号あるいは上りシリアル信号として送受信するように構成している。
【００３３】
次に、図５（ｂ）の保持装置４のブロックを説明する。図５（ｂ）では、保持装置４の左側に、携帯電話装置１のイヤホン接続端子３に接続するイヤホン接続プラグ７を設けている。イヤホン接続プラグ７はイヤホン接続端子３から電源供給を受ける。イヤホン接続プラグ７から供給された電源は、保持装置４に設けた充電制御手段４７の制御の下、充電端子４２ａ、４２ｂに供給する。充電端子４２ａには、子機９の装着状態を検出する装着検出部４４を接続し、充電端子４２ａ、４２ｂに子機の充電端子が接触しているかどうかを検出するようにしている。そして、短距離無線通信用の親機の音声信号処理や動作制御
を行う制御部４３が子機９の装着状態に応じた制御を行う。制御部４３は、イヤホン接続プラグ７を介して携帯電話装置１からの音声信号を受信し、あるいは子機９からの音声信号を送信するようにしている。また制御部４３は、イヤホン接続プラグ７がイヤホン接続端子３に接続されているか否かを知らせるイヤホン接続プラグ７の有無検出信号を送るようにしている。また、携帯電話装置１の制御部１４との間で制御信号を下りシリアル信号あるいは上りシリアル信号として送受信するように構成している。また、保持装置４には、短距離無線通信用の親機の主要部として機能する赤外線無線通信、ＦＭ通信、ブルートゥース（登録商標）等の短距離無線通信の無線送受信部４５と、通信方式に応じて必要なアンテナ４６を設け、子機９と短距離無線通信するようにしている。
【００３４】
図５（ｃ）の子機９のブロックを説明する。図５（ｃ）では、子機９の左側に、保持装置４の中の親機の部分と短距離無線通信するための無線送受信部９５と通信方式に応じて必要なアンテナ９６と制御部９３、そしてマイクロフォン９７とスピーカー９８を接続している。なお、図５（ｃ）ではスピーカー９８だけを接続した形態を示したが、スピーカー９８を音声出力専用として、スピーカー９８とは別に着信音出力用のリンガーを並列的に接続するようにしてもよい。
【００３５】
また子機９には、充電電池９０と充電端子９２ａ、９２ｂを設けて、保持装置４の充電端子４２ａ、４２ｂから電力供給を受けて充電されるように構成している。子機９には装着検出部９４があり、制御部９３は保持装置４との装着状態に応じて子機９の制御を行う。例えば、着信待ち受け状態で、子機９が保持装置４の保持手段から外れたことを装着検出部９４が検出すると、制御部９３は、スピーカー９８に報知音を出力させる。このことにより、子機９が保持装置から外れたことを携帯電話装置の使用者に知らせることが可能となる。そして、子機９にはスイッチ手段９９を設けていて、例えば着信待ち受け状態で子機９が保持装置４から外れて報知音が出力されているときに、スイッチ手段９９をオンすると制御部９３の制御により報知音が止まるようにしている。
【００３６】
また、スイッチ手段９９をオンしたことにより報知音が止まった後を、子機９が保持装置４から外れた状態で着信を待つ着信待ち受け状態となるようにしてもよい。すなわち、子機９が保持装置４から外れた状態で着信があると、保持装置４の中の親機は子機９を呼び出し、着信信号を送って、子機のスピーカー９８に保持装置４で保持しているときより小さい着信音を出力する。子機９のスピーカー９８に着信音が出力され着信を知らせているときにスイッチ手段９９が押されると、子機９の制御部９３は無線送受信部９５とアンテナ９６を用いて保持装置４の中の親機の部分に通話開始信号を送信し、保持装置４は、携帯電話装置１の制御部１４に通話動作を開始させるよう構成する。このことにより、子機９を保持装置４と離した状態で、オフフックスイッチ付きのコードレスイヤホン付き携帯電話装置として使用することができる。
【００３７】
なお、上記のように意図的に子機９を保持装置４から外して使用するとき、子機９を保持装置４から外す都度、スピーカー９８から報知音が出力されるのは煩わしい。そのため、子機９が外れたことを検出した後、例えば１秒から２秒程度の所定時間の後に報知音を出力させてもよい。この場合、子機９を外してから所定時間内にスイッチ手段９９をオンすることにより、報知音を出力させなくてすむという効果がある。また、子機９を外す前に、スイッチ手段９９を押し、スイッチ手段９９をオンにした状態で子機９を外せば、報知音を出力しないようにしてもよい。
【００３８】
なお、保持装置４の装着検出部４４が着信時に子機９が保持装置４の保持手段から外れたことを検出すると、保持装置４の制御部４３は、着信に対して通話を開始するための動作がされた、つまり通話開始ボタンが押されたのと同じ通信開始の動作がされたとみなして、携帯電話回線を接続するとともに、保持装置４と子機９間を短距離無線通信接続して
、音声信号や制御信号を相互に送受信させるようにしている。
【００３９】
また、保持装置４の装着検出部４４が通話等の通信中に、保持装置４から外れていた子機９が保持装置４の保持手段に保持されたことを検出すると、保持装置４の制御部４３は、携帯電話回線等の通信を終了させる。そして、保持装置４と子機９間の短距離無線通信も終了させるようにしている。
【００４０】
以上のように構成した携帯電話装置１と保持装置４と子機９について、子機９の充電電池９０を充電する仕組みを説明する。携帯電話装置１を図示しない充電台に置くと、充電台から充電端子１１ａと１１ｂに電源が供給される。充電回路１２は携帯電話装置１に内蔵した充電電池１０を充電するとともに、充電台から供給された電源をレギュレータ１３により電源を安定化した後、イヤホン接続端子３とイヤホン接続プラグ７を介して保持装置４に供給する。保持装置４に供給された電源は、保持装置４の制御部４３と充電制御手段４７にそれぞれ供給される。充電制御手段４７は、保持装置４の充電端子４２ａ、４２ｂに、子機９の充電端子９２ａ、９２ｂが接続されているか否か子機９の装着状態を検出する装着検出部４４の働きにより、子機９が装着されていれば、保持装置４の充電端子４２ａ、４２ｂと、子機９の充電端子９２ａ、９２ｂを介して、子機９の充電電池９０を充電する。なお、携帯電話装置１が図示しない充電台に置かれていないときであっても、保持装置４の充電制御手段４７は、子機９の充電電池９０の電圧を監視していて、所定の電圧が保たれるよう、携帯電話装置１の充電電池１０を用いて、子機９の充電電池９０を充電するようにしている。
【００４１】
このようにして、充電電池９０を充電された子機９は、保持装置４から取り外したときに充電電池９０により、制御部９３と無線送受信部９５を動作させ、保持装置４の親機の部分と子機９の短距離無線通信を行い、マイクロフォン９7とスピーカー９8により、送話と受話の音声信号を保持装置４の親機の部分と送受信するイヤホンマイクとして動作する。
【００４２】
図６に、本発明のコードレスイヤホン付き携帯電話装置の使用状態の概念図を示す。コードレスイヤホン付き携帯電話装置の使用者１１は、イヤホン端子付き携帯電話装置１を右手で持ち、子機９を保持装置４から取り外して、耳に嵌めている。携帯電話装置１のイヤホン端子３に出力される音声信号は、接続プラグ７と接続コード６を経て保持装置４の親機の部分から、短距離無線通信で子機９に送信され、音声として出力される。携帯電話装置の使用者１１は、耳に嵌めた子機９から、携帯電話装置１のイヤホン端子３に出力される音声信号を聞くことができる。
【００４３】
（実施の形態２）
次に、本発明の第二の実施の形態に係るコードレスイヤホン付き携帯電話装置について説明する。既に説明した本発明の第一の実施の形態に係るコードレスイヤホン付き携帯電話装置では、子機９の構成として、子機の筐体内にスピーカーを一つだけ設けた構成を示したが、子機９にステレオヘッドホーンを接続する端子２１を設け、子機９にステレオヘッドホーン２０を接続するよう構成しても良い。このことにより、子機９にステレオヘッドホーン２０を接続して左右の耳で携帯電話装置で発する音声を聞くことができる。子機９にステレオヘッドホーン２０を接続した本発明の第二の実施の形態に係るコードレスイヤホン付き携帯電話装置の使用状態図を図７に示す。コードレスイヤホン付き携帯電話装置の使用者１１は、イヤホン端子付き携帯電話装置１を右手で持ち、子機９を保持装置４から取り外して子機９にステレオヘッドホーン２０を接続端子21で接続して左右の耳に嵌めている。
【００４４】
（実施の形態３）
次に、本発明の第三の実施の形態に係るコードレスイヤホン付き携帯電話装置について説明する。本発明の第三の実施の形態に係るコードレスイヤホン付き携帯電話装置では、当初から子機９を二つのスピーカーを搭載したコードレスのステレオイヤホンとして構成している。図８に示すように、子機９には元々設けてある第一のスピーカー９８の他に、子機９から延ばしたコード９１の先に第二のスピーカー９８‘を設け、保持装置４に二つのＵ字状の保持部を設け、それぞれのスピーカー９８、９８‘を着脱自在に保持するように構成している。なお、コード９１はストラップとしての役目も果たす。なお、子機９の保持装置の二つのＵ字状部の内側にそれぞれ一対の充電端子４２a、４２ｂを設けておくとにより、子機９をどちらのＵ字状の保持部に嵌めても充電できるという効果がある。
【００４５】
また、図示はしていないが、上記のように一つの子機９に２つのスピーカー９８、９８‘を付けるのではなく、右耳用子機と左耳用子機の二つの子機を２つのＵ字状の保持部に嵌めるよう構成してもよい。
【００４６】
（実施の形態４）
次に、本発明の第四の実施の形態に係るコードレスイヤホン付き携帯電話装置について説明する。本発明の第四の実施の形態に係るコードレスイヤホン付き携帯電話装置では、子機の保持装置に短距離無線通信用の親機の部分を設けず、親機の部分をイヤホン端子付き携帯電話装置の内部に設けている。
【００４７】
図９に、本発明の第四の実施の形態に係るコードレスイヤホン付き携帯電話装置のブロック図を示す。図９では、短距離無線通信の親機の部分１８を携帯電話装置１００の内部に設けている。すなわち、図９（ａ）の携帯電話装置１００のブロックには、第一の実施の形態として示した図５になかった無線送受信部１５とアンテナ１６を設け、制御部１４０には、携帯電話装置１００の制御に加えて、短距離無線通信の親機の制御も行わせている。そして、図９（ｂ）の保持装置４００には短距離無線通信の親機の部分を設けず、充電制御手段４７と装着検出部４４と制御部４３０を設けた構成にしている。図９（ｃ）の子機９の構成は、第一の実施の形態として示した図５（ｃ）と同じである。
【００４８】
本発明の第四の実施の形態に係るコードレスイヤホン付き携帯電話装置では、携帯電話装置１００に親機の部分１８が搭載されているので、保持装置４００を軽くすることができる。また、携帯電話装置１００の外部に親機の部分１８を取り付ける後付け作業がないという効果がある。
【００４９】
（実施の形態５）
上記本発明の第四の実施の形態に係るコードレスイヤホン付き携帯電話装置では、親機の部分１８を携帯電話装置１００の内部に設けた形を示したが、親機の部分１８を携帯電話装置１００の外部に着脱式に設けても良い。本発明の第五の実施の形態に係るコードレスイヤホン付き携帯電話装置として、親機の部分１８を携帯電話装置１１０の筐体の下にコネクタを介して親機の部分を着脱式に取り付けたときの外観図を図１０に示す。この構成によれば、親機の部分１８を内蔵していない携帯電話装置であっても、既に説明した第一の実施の形態から第三の実施の形態と同様の使い方のできるコードレスイヤホン付き携帯電話装置を得ることができる。
【産業上の利用可能性】
【００５０】
本発明に係るコードレスイヤホン付き携帯電話装置は、短距離無線通信手段を内蔵しているものはもちろん、内蔵していない携帯電話装置であっても、親機と一体にかつ着脱自在に保持される短距離無線通信用の子機を同時に携行して、コードレスイヤホンとして使うことができる。一般の携帯電話装置をコードレスイヤホン付き携帯電話装置として使う場合はもちろん、自動車内で携帯電話装置をハンズフリー通話用携帯電話装置として使用
する場合にも適用できる。また、テレビ電話機能やテレビ放送受信機能を有する携帯電話装置に適用することができる。
【図面の簡単な説明】
【００５１】
【図１】本発明の第一の実施の形態に係るコードレスイヤホン付き携帯電話装置の外観図
【図２】（ａ）本発明の第一の実施の形態に係るコードレスイヤホンの外観図（ｂ）本発明の第一の実施の形態に係るコードレスイヤホンの親機と子機を分離した状態の外観図
【図３】本発明の第一の実施の形態に係るコードレスイヤホンの保持装置の一部を断面とした外観図
【図４】（ａ）本発明の第一の実施の形態に係るコードレスイヤホンの子機の正面図（ｂ）本発明の第一の実施の形態に係るコードレスイヤホンの子機の右側面図（ｃ）本発明の第一の実施の形態に係るコードレスイヤホンの子機の平面図
【図５】（ａ）本発明の第一の実施の形態に係るコードレスイヤホン付き携帯電話装置のブロック図（ｂ）本発明の第一の実施の形態に係るコードレスイヤホンの保持装置のブロック図（ｃ）本発明の第一の実施の形態に係るコードレスイヤホンの子機のブロック図
【図６】本発明の第一の実施の形態に係るコードレスイヤホン付き携帯電話装置の使用状態を示す図
【図７】本発明の第二の実施の形態に係るコードレスイヤホン付き携帯電話装置の使用状態を示す図
【図８】本発明の第三の実施の形態に係るコードレスイヤホン付き携帯電話装置の子機と保持装置の外観図
【図９】（ａ）本発明の第四の実施の形態に係るコードレスイヤホン付き携帯電話装置のブロック図（ｂ）本発明の第四の実施の形態に係るコードレスイヤホンの保持装置のブロック図（ｃ）本発明の第四の実施の形態に係るコードレスイヤホンの子機のブロック図
【図１０】本発明の第五の実施の形態に係るコードレスイヤホン付き携帯電話装置の外観図
【符号の説明】
【００５２】
１  携帯電話装置
２  ストラップ取り付け用穴
３  イヤホン端子
４  保持装置
５  取り付け用ストラップ
６  接続コード
７  接続プラグ
９  子機
１０  携帯電話装置の充電電池
４１  弾性手段
４４  装着検出部
４５  無線送受信部
４６  アンテナ
４７  充電制御手段
９０  子機の充電電池
９７  マイクロフォン
９８  スピーカー
９９  スイッチ手段
【図１】
2006050058.tif 000003
【図２】
2006050058.tif 000004
【図３】
2006050058.tif 000005
【図４】
2006050058.tif 000006
【図５】
2006050058.tif 000007
【図６】
2006050058.tif 000008
【図７】
2006050058.tif 000009
【図８】
2006050058.tif 000010
【図９】
2006050058.tif 000011
【図１０】
2006050058.tif 000012